(57)【特許請求の範囲】
【請求項１】
長尺状の主構造材に補強部材を突設し、前記主構造材に対して加わる圧力を支持するテンション材を接合部を介して前記補強部材に接合した補強構造体であって、前記接合部は、前記補強部材に設けられ所定間隔離れて対向配置された第１支持部及び第２支持部と、これらの第１支持部と第２支持部との間に一平面内で回動可能に支持され前記テンション材の端部が取り付けられた取付片とを備え、前記第１支持部及び第２支持部の少なくとも一方には前記取付片の回動方向に沿って前記取付片を案内するガイド溝が形成されていることを特徴とする補強構造体。
【請求項２】
請求項１記載の補強構造体において、前記第１支持部と第２支持部との間には、軸心が前記取付片の回動中心と一致する円柱部が設けられ、この円柱部の周面に当接する円弧面が前記取付片に形成されていることを特徴とする補強構造体。
【発明の詳細な説明】
【０００１】
【発明の属する技術分野】
本発明は、建物の柱、梁あるいは外壁材やサッシ窓を取り付ける方立等の主構造材を補強するトラス構造の補強構造体に関するものである。
【０００２】
【背景技術】
建物等では、柱や梁等の主構造材を補強するため、補強構造体が用いられている。この補強構造体として、長尺状の主構造材に突設された補強部材（束材）と、主構造材に対して加わる圧力を支持し接合部を介して補強部材に接合されたテンション材とを備えたトラス構造のものが知られている。
従来では、接合部は、例えば、円柱状の補強部材の先端側周面に取付片（ガゼット）を溶接し、この取付片とテンション材の端部とをボルトで接合した構造である。
【０００３】
【発明が解決しようとする課題】
しかしながら、従来の接合部の構造では、取付片は補強部材に溶接で固定されているため、作業員の溶接作業の熟練度によっては取付片と補強部材とに取付誤差が生じることがある。例えば、取付片が補強部材の軸心と直交する平面内において所定角度ずれて補強部材に接合されることがある。
取付片が補強部材に正確に取り付けられていない場合、取付片にテンション材を接合できないか、あるいは、接合するとしても、取付片とテンション材とを強引にボルトで接合するため、テンション材を取付片に接合した後でテンション材に負荷がかかるという問題点がある。
【０００４】
本発明の目的は、テンション材を取付片に容易に接合することができる補強構造体を提供することにある。
【０００５】
【課題を解決するための手段】
そのため、本発明は、補強部材に取付片を一平面内で回動可能に取り付けて前記目的を達成しようとするものである。
具体的には、本発明の補強構造体は、長尺状の主構造材に補強部材を突設し、前記主構造材に対して加わる圧力を支持するテンション材を接合部を介して前記補強部材に接合した補強構造体であって、前記接合部は、前記補強部材に設けられ所定間隔離れて対向配置された第１支持部及び第２支持部と、これらの第１支持部と第２支持部との間に一平面内で回動可能に支持され前記テンション材の端部が取り付けられた取付片とを備え、前記第１支持部及び第２支持部の少なくとも一方には前記取付片の回動方向に沿って前記取付片を案内するガイド溝が形成されていることを特徴とする。
【０００６】
本発明では、補強構造体を主構造材に取り付けるにあたり、主構造材に突設した補強部材に第１支持部と第２支持部とを取り付けるとともに、これらの支持部で取付片を挟持させる。
その後、一端部を主構造材に接合したテンション材の他端部を取付片にボルト等で接合するが、取付片を所定角度回動させることにより、この取付片とテンション材とを無理なく取り付けることができる。
【０００７】
テンション材が取付片に接合されることにより補強構造体の主構造材への取付作業が完了し、補強構造体が取り付けられた主構造材を建物の梁等として建物に取り付ける。
この状態では、主構造材に外部から圧力が加わると、補強部材を介してテンション材に引っ張り力が生じ、取付片に補強部材から離れようとする力が生じるが、取付片は第１支持部と第２支持部とに両側が確実に支持されているので、取付片が誤って外れることがない。
【０００８】
しかも、本発明では、前記第１支持部及び第２支持部の少なくとも一方に前記取付片の回動方向に沿って前記取付片を案内するガイド溝を形成したから、取付片がガイド溝に沿ってスムースに回動されるため、取付片とテンション材との接合作業がより容易となる。
ここで、前記第１支持部と第２支持部との間に、軸心が前記取付片の回動中心と一致する円柱部を設け、この円柱部の周面に当接する円弧面を前記取付片に形成した構造でもよい。
この構造では、取付片が第１支持部及び第２支持部側の２か所だけでなく、円柱部との間でも支持されるので、取付片の補強部材への支持がより確実に行えるとともに取付片が円柱部の周面に沿ってスムースに回動されるため、この点からも、取付片とテンション材との接合作業がより容易となる。
【０００９】
【発明の実施の形態】
以下、本発明の一実施の形態を図面に基づいて詳細に説明する。
図１は本実施の形態の全体を示す正面図である。
図１において、対向配置された柱１には長尺状の主構造材２が取り付けられている。この主構造材２は梁であり、柱１とともに図示しない床材、外壁材やサッシ窓を取り付けるためのものである。
主構造材２には下方に向けて外壁材等の荷重に伴う圧力がかかるようになっており、主構造材２にかかる圧力を支持するために本実施の形態の補強構造体３が設けられている。
【００１０】
補強構造体３は、主構造材２の中央部に第１取付金具４を介して下方に突設された略円柱状の補強部材５と、主構造材２の端部に第２取付金具６を介してそれぞれ一端部が取り付けられた２本のテンション材７と、これらのテンション材７の他端部を補強部材５の下端部に接合する接合部８と、を備え、主構造材２に対して加わる圧力を補強部材５を介してテンション材７で支持するトラス構造である。
テンション材７は、両端部にねじ部が形成されたＰＣ鋼棒９と、このＰＣ鋼棒９の接合部８側の端部に取り付けられた接合金具１０とを備えて構成されている。本実施の形態で使用されるＰＣ鋼棒９は、高強度の鋼棒であり、プレキャストコンクリート構造その他に用いられる一般的なものである。
【００１１】
第１取付金具４の詳細な構造が図２に示されている。
図２において、第１取付金具４は、主構造材２にボルト１１で固定され内部に球面部１２Ａを有する受け部材１２と、この受け部材１２の球面部１２Ａに回動自在に収納される球体状の頭部１３Ａ及び補強部材５の上部を取り付けるねじ部１３Ｂを有する取付ボルト１３と、この取付ボルト１３の頭部１３Ａを受け部材１２に取り付けるナット部材１４とを備え、主構造材２に対して補強部材５が所定角度回動可能とされた構成である。
【００１２】
第２取付金具６の詳細な構造が図３に示されている。
図３において、第２取付金具６は、主構造材２の端部にボルト１１で固定され内部に円筒面部１５Ａを有する受け部材１５と、この受け部材１５の円筒面部１５Ａに周方向に回動自在に収納されＰＣ鋼棒９の端部が取り付けられた円柱部材１６とを備え、主構造材２に対してテンション材７が鉛直平面内で所定角度回動可能とされた構成である。
【００１３】
接合部８の詳細な構造が図４から図６に示されている。図４は接合部８の斜視図、図５は接合部８の横断面図、図６は接合部８の縦断面図である。
これらの図において、接合部８は、補強部材５の下端部に設けられ所定間隔離れて対向配置された第１支持部１７及び第２支持部１８と、これらの第１支持部１７と第２支持部１８との間に補強部材５の軸芯と直交する平面内で回動可能に支持され２本のテンション材７の他端部がそれぞれ取り付けられた２個の取付片１９とを備えた構成である。
【００１４】
第１支持部１７及び第２支持部１８は、ともにリング部材から形成され、互いに対向する面には取付片１９の回動方向に沿って取付片１９を案内する円弧状のガイド溝１７Ａ，１８Ａが形成されている。
補強部材５は、下端部５Ａが中間部５Ｂより径が小さい束材であり、上方に位置する第１支持部１７に補強部材５の下端部５Ｂが挿通され、この第１支持部１７は下端部５Ａと中間部５Ｂとの間に形成された段部５Ｃで抜け止めされている（図６参照）。
下方に位置する第２支持部１８は、その内部に雌ねじが形成され、この雌ねじは補強部材５の下端に形成された雄ねじと螺合する構造である。
【００１５】
取付片１９は、一側に円柱部である下端部５Ａに当接する円弧面１９Ａが形成され他側に孔部１９Ｂが形成された板状のガゼットであり、その回動中心は、下端部５Ａの軸心と一致する（図５の想像線参照）。
取付片１９の孔部１９Ｂは、この取付片１９とテンション材７の接合金具１０とを接合するボルト２０が挿通される。本実施の形態では、ボルト２０に代えてピンを利用することができる。なお、図６中符号１０Ａは接合金具１０に形成された雌ねじ部で、ＰＣ鋼棒９のねじ部が螺合される。
取付片１９の上端には第１支持部１７のガイド溝１７Ａに案内されるガイド突起１９Ｃが形成され、取付片１９の下端には第２支持部１８のガイド溝１８Ａに案内されるガイド突起１９Ｄが形成されている。これらのガイド突起１９Ｃ，１９Ｄは、取付片１９の前記一側に従って断面寸法が短くなるテーパ状に形成されている（図５参照）。
【００１６】
この構成の補強構造体３を主構造材２に取り付けるにあたり、まず、主構造材２の中央部に補強部材５を突設する。そのため、第１取付金具４の受け部材１２を主構造材２の中央部に固定し、補強部材５に取付ボルト１３を取り付け、この取付ボルト１３を受け部材１２にナット部材１４で取り付ける。
さらに、補強部材５の下端部５Ｂを第１支持部１７に挿通し、この第１支持部１７との間で２個の取付片１９を挟持する状態で第２支持部１８を下端部５Ｂに取り付ける。
【００１７】
その後、主構造材２の両端部に第２取付金具６を介してテンション材７のＰＣ鋼棒９の一端側を接合し、このテンション材７の他端側の接合金具１０を取付片１９の孔部１９Ｂにボルト２０で接合する。この際、ボルト２０に代えてピンを用いてもよい。
ここで、取付片１９を所定角度回動させることにより、この取付片１９とテンション材７とを無理なく接合することができる。また、取付片１９にテンション材７を接合するにあたり、必要に応じて補強部材５を主構造材２に対して回動（傾動）させてもよい。
【００１８】
テンション材７が取付片１９に接合されることにより補強構造体３の主構造材２への取付作業が完了し、補強構造体３が取り付けられた主構造材２を梁として２本の柱１の間に取り付け、さらに、これらの柱１及び主構造材２に図示しない外壁材等を取り付ける。
この状態では、主構造材２に圧力が加わると、テンション材７に引っ張り力が生じ、取付片１９に補強部材５から離れようとする力が生じるが、取付片１９は第１支持部１７と第２支持部１８とに両側が確実に支持されているので、取付片１９が誤って外れることがない。
【００１９】
従って、本実施の形態では、テンション材７を補強部材５に接合するための接合部８を、補強部材５に設けられ所定間隔離れて対向配置された第１支持部１７及び第２支持部１８と、これらの第１支持部１７と第２支持部１８との間に円柱状の補強部材５の軸芯と直交する平面内で回動可能に支持されテンション材７の端部が取り付けられた取付片１９とを備えた構成としたから、取付片１９を所定角度回動するだけでテンション材７を取付片１９に容易に接合することができる。
また、本実施の形態では、第１支持部１７及び第２支持部１８の双方に取付片１９の回動方向に沿って取付片１９を案内するガイド溝１７Ａ，１８Ａを形成したから、取付片１９がガイド溝１７Ａ，１８Ａに沿ってスムースに回動されるため、取付片１９とテンション材７との接合作業がより容易となる。
【００２０】
さらに、第１支持部１７と第２支持部１８との間に、軸心が取付片１９の回動中心と一致する補強部材５の下端部５Ａ（円柱部）を設け、この下端部５Ａの周面に当接する円弧面１９Ａを取付片１９に形成したから、取付片１９が第１支持部１７及び第２支持部１８側の２か所だけでなく、下端部５Ａとの間でも支持されるので、取付片１９の補強部材５への支持がより確実に行えるとともに取付片１９が下端部５Ａの周面に沿ってスムースに回動されるため、この点からも、取付片１９とテンション材７との接合作業がより容易となる。
【００２１】
また、本実施の形態では、第１支持部１７及び第２支持部１８を、ともにリング部材から形成し、補強部材５の下端部５Ａと中間部５Ｂとの間に段差５Ｃを形成し、第１支持部１７に補強部材５の下端部５Ｂを挿通して段部５Ｃで抜け止めし、第２支持部１８を補強部材５の下端の雄ねじと螺合させる構造としたから、第１支持部１７及び第２支持部１８の構造を簡易にするとともにこれらの支持部１７，１８の補強部材５への取り付けを容易に行うことができる。
【００２２】
さらに、主構造材２に補強部材５を取り付ける第１取付金具４を、主構造材２に固定され内部に球面部１２Ａを有する受け部材１２と、この受け部材１２の球面部１２Ａに回動自在に収納される球体状の頭部１３Ａ及び補強部材５の上部を取り付けるねじ部１３Ｂを有する取付ボルト１３と、この取付ボルト１３の頭部１３Ａを受け部材１２に取り付けるナット部材１４とを備えて構成したから、主構造材２に対して補強部材５が所定角度回動可能とされ、この点からも取付片１１とテンション材７との接合作業が容易となる。
【００２３】
なお、本発明は前述の実施の形態に限定されるものではなく、本発明の目的を達成できる範囲であれば次に示す変形例を含むものである。
例えば、前記実施の形態では、取付片１９を２個設けたが、本発明では、取付片１９の数は限定されず、例えば、１個、３個、４個以上でもよい。図７では、取付片１９が４個設けられた例が示されており、２個の取付片１９は前記実施の形態の通り第２取付金具６に一端が接合されたテンション材７の他端が接合される構成であり、残り２個の取付片１９は図１の主構造材２とは異なる梁に一端が接合されたテンション材の他端が接合される構成である。前記実施の形態では、図５に示される通り、取付片１９のガイド突起１９Ｃ，１９Ｄが先細り状に形成されているので、多くの取付片１９を第１及び第２支持部１７，１８に取り付けることができる。
【００２４】
さらに、本発明では、取付片１９と補強部材５との間に隙間を設けて配置してもよい。
また、補強部材５の下端部５Ａは円柱状であったが、図８に示される通り、円錐台状に形成してもよい。さらに、補強部材５を断面多角形、Ｌ形、Ｈ形としてもよい。補強部材５を断面多角形等、断面円形以外の形状にする場合には、取付片１９と補強部材５との間に隙間を設ける。
さらに、第１及び第２支持部１７，１８にガイド溝１７Ａ，１８Ａを形成し、取付片１９にガイド突起１９Ｃ，１９Ｄを形成したが、本発明では、必ずしもガイド溝１７Ａ，１８Ａを形成することを要しない。仮に、ガイド溝１７Ａ，１８Ａを形成する場合であっても、図９に示される通り、第１及び第２支持部１７，１８にリング状のガイド突起１７Ｂ，１８Ｂを形成し、このガイド突起１７Ｂ，１８Ｂを案内するガイド溝１９Ｅを取付片１９に形成した構造でもよい。
【００２５】
また、取付片１９が回動する平面は補強部材５の軸芯と交差するものであれば必ずしも直交することを要しない。
さらに、前記実施の形態では、第１及び第２支持部１７，１８をリング部材から形成したが、本発明では、第１及び第２支持部１７，１８の少なくとも一方を補強部材５と一体に形成してもよい。
【００２６】
さらに、主構造材２に複数本の補強部材５を突設し、隣合う補強部材５同士をテンション材７で接合する構造でもよい。
また、前記実施の形態では、主構造材２を外壁パネルの取付用梁としたが、本発明の主構造材２は梁として利用されるものだけでなく、柱、あるいは方立、さらには、建築用土木用の躯体として利用されるものでもよい。柱として利用される場合には、補強構造体３が取り付けられた主構造材２は上下に沿って配置されることになる。
【００２７】
【発明の効果】
以上の通り、本発明によれば、テンション材を補強部材に接合するための接合部を、補強部材に設けられ所定間隔離れて対向配置された第１支持部及び第２支持部と、これらの第１支持部と第２支持部との間に一平面内で回動可能に支持されテンション材の端部が取り付けられた取付片とを備えた構成としたから、取付片を所定角度回動するだけでテンション材を取付片に容易に接合することができる。
【図面の簡単な説明】
【図１】本発明の一実施の形態の全体を示す正面図である。
【図２】主構造材に補強部材を取り付けるための第１取付金具の詳細な構造を示す縦断面図である。
【図３】主構造材にテンション材を取り付けるための第２取付金具の詳細な構造を示す縦断面図である。
【図４】主構造材に補強部材を接合するための接合部を示す斜視図である。
【図５】主構造材に補強部材を接合するための接合部を示す横断面図である。
【図６】主構造材に補強部材を接合するための接合部を示す縦断面図である。
【図７】本発明の変形例を示す斜視図である。
【図８】本発明の異なる変形例を示す縦断面図である。
【図９】本発明のさらに異なる変形例を示す縦断面図である。
【符号の説明】
２            主構造材
３            補強構造体
５            補強部材
７            テンション材
８            接合部
１７          第１支持部
１８          第２支持部
17A,18A       ガイド溝
１９          取付片
【図１】
0003770637.tif 000002
【図２】
0003770637.tif 000003
【図３】
0003770637.tif 000004
【図４】
0003770637.tif 000005
【図５】
0003770637.tif 000006
【図６】
0003770637.tif 000007
【図７】
0003770637.tif 000008
【図８】
0003770637.tif 000009
【図９】
0003770637.tif 000010